(57)【特許請求の範囲】
【請求項１】
ある用量の吸入調合物を含む、複数のブリスターポケット（３）を有する帯形のブリスターストリップ（２）から前記吸入調合物を運搬するための吸入器（１）であって、前記吸入器（１）は、
前記ブリスターストリップ（２）の段階的な前方移動のための輸送器（５）と、
整列したブリスターポケット（３）の蓋（２７）を穿刺する穿孔部材（７）および穿孔要素と、
口金（８）と、を備え、
前記吸入器（１）は、開いたブリスターポケット（３）からそれぞれの用量を放出し、それを外気とともにエアロゾル雲（１１）として運搬するために、吸入の最中に息を吸うことによって外気の気流（９）を吸い込むことができるように設計され、
前記口金（８）は、前記吸入器（１）の流動抵抗を少なくとも７５，０００Ｐａ１／２ｓ／ｍ３に増加させる挿入部（１７）を備え、前記挿入部（１７）は、前記吸入器（１）の前記穿孔部材（７）に隣接して配置される、吸入器（１）。
【請求項２】
前記吸入器（１）は、少なくとも９０，０００Ｐａ１／２ｓ／ｍ３の流動抵抗を有する、請求項１に記載の吸入器（１）。
【請求項３】
前記挿入部（１７）は、前記口金（８）またはその出口管（１８）の内部に形態固定して保持される、請求項１に記載の吸入器（１）。
【請求項４】
前記挿入部（１７）は、前記穿孔部材（７）を形成または保持する、請求項１に記載の吸入器（１）。
【発明の詳細な説明】
【技術分野】
【０００１】
本発明は、請求項１の前文による吸入器に関する。
【０００２】
本発明は、ある用量の吸入調合物を含む、複数のブリスターポケット（ブリスターとも呼ばれる）を有するブリスターストリップから、粉末形状の吸入調合物を運搬するための吸入器に関する。
【背景技術】
【０００３】
英国特許出願公開第２  ４０７  ０４２  Ａ号は、捲上したブリスターストリップを有する吸入器について開示している。当該吸入器は手動で操作される、枢動可能な作動装置を備え、これはブリスターストリップを段階的に移動させるための運搬装置を操作する。当該作動装置は穿孔装置および関連する口金を支持する。当該作動装置に旋回させることによって、ブリスターストリップは前方に移動され、ブリスターストリップのブリスターポケットを次々に穿孔することができる。患者が息を吸う時、気流は以前に穿孔したブリスターポケットを通過し、その結果、ブリスターポケット内の吸入調合物は空気と混ざり、患者に放出される。
【発明の概要】
【０００４】
本発明は、受動吸入器（すなわち、患者または使用者が息を吸って気流を発生する吸入器であって、吸入調合物を運搬し、所望のエアロゾルを生成する吸入器）に関する。
【０００５】
患者が口金または任意の他の末端部をその口内に入れて息を吸う場合、気流は当該吸入器を通じて吸われ、エアロゾルを生み出し、当該吸入調合物をエアロゾルとして放出する。気流が当該吸入器を通じて流れる際、圧力降下が当該吸入器の内部で起こる。この圧力降下は時間当たりの流量および流速によって決まる。その流動抵抗は、特定の流速における圧力降下の平方根に関連する量を表す。本発明では、用語「流動抵抗」は、吸入の最中に（すなわち、当該吸入調合物のエアロゾルの発生を伴って）、空気が当該吸入器の口金または任意の他の末端部から吸われる際に起こる抵抗を意味する。
【０００６】
推進体、ポンプ、空気ポンプ、または任意の他の圧力発生器、もしくは圧縮または液化した気体等の能動的手段がエアロゾルを発生する能動吸入器とは対照的に、受動吸入器は通常、患者または使用者に対してより高い流動抵抗を有する。このことは、エアロゾルの発生がエネルギーを必要とし、それ故、受動吸入器内にて個別の流動抵抗をもたらすという事実に起因する。それにもかかわらず、患者または使用者への吸入を促進するために、両方の種類の吸入器内で可能な限り流動抵抗を低く保つことが過去の開発の目的となっていた。
【０００７】
本発明の目的は、放出特性を最適化した吸入器を提供することである。
【０００８】
上の目的は、請求項１による吸入器によって達成される。有利な実施形態は下位請求項の主要部である。
【０００９】
本発明の１つの態様は、当該吸入器の流動抵抗が増加することである。具体的には、当該吸入器は少なくとも７５，０００Ｐａ１／２ｓ／ｍ３の流動抵抗を有する。これは、現在の種類の過去の吸入器よりも著しく高い。このような吸入器は通常、わずか約６０，０００Ｐａ１／２ｓ／ｍ３の流動抵抗しか有さない。より具体的には、本明細書は、ある用量の吸入調合物を含む、複数のブリスターポケットを有する帯形のブリスターストリップから吸入調合物を運搬するための吸入器を開示しており、当該吸入器は、ブリスターストリップの段階的な前方移動のための輸送器と、整列したブリスターポケットの蓋を穿刺する穿孔部材および穿孔要素と、口金と、を備え、当該吸入器は、開いたブリスターポケットからそれぞれの用量を放出し、それを外気とともにエアロゾル雲として運搬するために、吸入の最中に息を吸うことによって外気の気流を吸い込むことができるように設計され、当該口金は、吸入器の流動抵抗を少なくとも７５，０００Ｐａ１／２ｓ／ｍ３に増加させる挿入部を備え、当該挿入部は、吸入器の穿孔部材に隣接して配置される。
【００１０】
増加した流動抵抗は、当該吸入器の最適化した放出特性をもたらす。より高い流動抵抗が原因で、患者または使用者は、合計の吸入時間が増加するようによりゆっくり息を吸う。具体的には、より高い流動抵抗によって、患者または使用者がゆっくり息を吸うことがより容易になる。このことは、本能的呼吸ならびに意識的呼吸に当てはまる。従って、口および咽頭の領域内でより低い流速を達成することができ、このことは、当該吸入調合物の肺沈着の割合が増加するように、この領域内でエアロゾル粒子（吸入調合物）のより低い固着をもたらす。
【００１１】
本発明の別の態様は、当該口金が流動抵抗を増加させる挿入部を備えることである。これは、非常に単純な構造が、特に、非常に容易かつ費用効率の良い方法で以前の構造における所望の流動抵抗を適合させることを可能にする。
【００１２】
本発明のさらなる態様は、空気の供給経路の最小の断面積がその供給気流を制限するか、および／または当該ブリスターの開口部より小さいことである。そのため、画定した流動特性を保証すること、および特に、開いたブリスターポケットの穿刺した蓋における、異なる開口部の大きさの影響を回避することが可能である。
【００１３】
本発明の別の態様は、気流の迂回経路の最小の断面積が、供給経路の最小の断面積より小さいことである。その迂回経路は当該ブリスターポケットを迂回する。その供給経路は当該ブリスターポケットに接続される。従って、当該ブリスターポケットを通じて高い流速を保証して当該吸入調合物を運搬し、当該吸入調合物を脱塊して非常に効率的な方法でそのエアロゾルを発生させることが可能である。
【００１４】
本発明のなおさらなる態様は、当該平均（流）速が、供給経路および迂回経路の混合領域内または供給経路の末端にて、３９ｌ／分の合計流量で少なくとも５０ｍ／ｓであることである。このことは、所望の流動特性を有するエアロゾルの良好な脱塊および発生を保証する。
【図面の簡単な説明】
【００１５】
本発明のさらなる態様、特長、特性、および利点が、特許請求の範囲および次の好適な一実施形態の記述の中に図面を参照して記載されている。下記の図面が示されている。
【００１６】
【図１】口金蓋を有さない吸入器の略断面図である。
【図２】閉じた口金蓋を有する吸入器の略部分表示である。
【図３】口金および穿孔部材の領域内における吸入器の拡大断面図である。
【図４】穿孔側から見た、挿入部を有する穿孔部材の斜視図である。
【００１７】
図面において、たとえ繰り返した記述が省略されている場合であっても、同じ参照番号は同一部分または同様部分に対して用いられる。特に、同一または対応する利点および特性もその後生じるか、または達成されてよい。
【発明を実施するための形態】
【００１８】
図１は、吸入器１の略断面図を示す。
【００１９】
吸入器１は、帯形のブリスターストリップ２から粉末状の吸入調合物を運搬する役割を果たす。ブリスターストリップ２は有限であり、無限環または閉環を形成しない。それは、一回分の遊離した吸入調合物をそれぞれ直接含む大多数のブリスターポケット３を有する。従って、当該調合物はあらかじめ計量されている。
【００２０】
吸入器１は、閉じた（封止した）ブリスターポケット３を有する、依然として未使用のブリスターストリップ２のための貯蔵器４を有する。ブリスターストリップ３は、貯蔵器４の中で捲上または巻上される。代表例では、貯蔵器４は、ブリスターストリップ２を外へ移動するか、または貯蔵器４から可能な限り容易に引き出すことができるように形成される。
【００２１】
代表例では、ブリスターストリップ２は貯蔵器４の中で直接受容される。しかしながら、これの代わりに、カセット、容器、ドラム、またはそのような種類のものを、ブリスターストリップ２とともに、吸入器１または貯蔵器４に適合させるか挿入することができる。
【００２２】
吸入器１は、それぞれのブリスターポケット３を開けて空にすることができる、開口部および／または除去位置６にブリスターポケット３を連続的に供給するために、各容器の中の１つのブリスターポケット３の側にある矢印５ａの方向への、ブリスターストリップ２の段階的な前方移動のための輸送器５を有する。
【００２３】
好ましくは、位置６でそれぞれ整列したブリスターポケット３の蓋を穿刺または切開する穿孔部材７を用いて、ブリスターポケット３をそれぞれ開けることが出来る。穿孔部材７は中空であり、かつ吸入器１の隣接する口金８と流体接続している。
【００２４】
吸入の最中または間に、患者または使用者は口金８を口内に入れて息を吸う（図示せず）。その中に穿孔部材７が延在しているそれぞれ開いたブリスターポケット３は、その結果吸い込むことにより空になる。外気の気流９は吸い込まれ、遊離した粉末１０（当該吸入調合物を形成し、口金８の下方にある実際に開いたブリスターポケット３の中でのみ図１に概略的に示されている）が吸い込まれた外気とともにエアロゾル雲１１として口金８を通じて分配されるように、開いたブリスターポケット３を通過する。この状況は図１に概略的に示されている。
【００２５】
吸入器１は、手動で作動可能な、吸入器１の外被１２ａに枢動可能に搭載されるレバー様の作動器１２を有することが好ましい。穿孔部材７および口金８は、作動器１２に取り付けられ、当該作動器によって支持される。
【００２６】
作動器１２は、穿孔部材７に、口金８の下方にある位置６内でそれぞれ整列したブリスターポケット３の蓋を穿刺させるように操作可能（枢動可能）である。
【００２７】
作動器１２が図１に示される位置から（ここでは反時計回りに）図３に示される部分的に開いた位置に旋回する際、穿孔部材７は最後に穿孔されたブリスターポケット３から引き抜かれる。
【００２８】
その後、ブリスターストリップ２は１つのブリスターポケット３によって前方に移動され、そして次のブリスターポケット３は位置６の中で移動される。このことは後ほどより詳細に説明される。
【００２９】
作動器１２が図１に示される位置内に戻って旋回する、すなわち、手動で後ろに移動される場合、ブリスターストリップ２の次の整列したブリスターポケット３は穿孔部材７によって穿刺され、それによって開けられる。その後、次の吸入を行うことができ、すなわち、吸入器１は作動される。
【００３０】
吸入器１は、ブリスターストリップ２の使用済み部分を受容または保存する受容空間または受容装置１３を有する。受容空間または受容装置１３は、使用済み部分を捲上することができるように形成される。図１は、本質的に満杯の貯蔵器４、および、さらに本質的に空の受容空間１３を伴う状況を示す。
【００３１】
輸送器５は輸送輪１４を備え、これはブリスターポケット３の間に係合し、ひいては形態固定または形態適合の様式でブリスターストリップ２を輸送することができる。これは、所望のおよび／または必要に応じた、ブリスターストリップ２の非常に堅牢または正確な移動または指標付けを可能にする。
【００３２】
輸送器５またはその輸送輪１４は、貯蔵器４と受容装置１３との間に、具体的には除去位置６と受容装置１３との間に、このようにブリスターポケット３の排出の後に配列される。
【００３３】
作動器またはレバー１２の旋回軸は、輸送輪１４の回転軸と同軸である。具体的には、作動器またはレバー１２は、輸送輪１４の心棒によって支持されてよい。
【００３４】
吸入器１は口金蓋１５を備える。口金蓋１５は、吸入器１の基本原理のみを説明する図１には示されていないが、吸入器１のより現実的だが依然として概略的な断面図を示す図２には示されている。図２は閉じた口金蓋１５を有する吸入器１を示し、そこで、ブリスターストリップ２は例解の目的のために部分的に省略されている。図３は、完全に開いた口金蓋１５を有する吸入器１を示す。
【００３５】
口金蓋１５は、図２および図３に示されている蓋軸１６の周辺で枢動可能であり、本図内の描画平面に対して垂直に延在している。
【００３６】
作動器１２の旋回軸は、蓋軸１６に対して、または当該蓋軸と同軸に延在している。輸送輪１４の回転軸は、蓋軸１６および作動器１２の旋回軸に対して同軸に延在している。
【００３７】
輸送器５またはその輸送輪１４は口金蓋１５によって、つまり口金蓋１５の枢動によって駆動される。具体的には、口金蓋１５が開かれる際、ブリスターストリップ２は前方に移動される。口金蓋１５の開口移動の一部のみが、ブリスターストリップ２を前方に移動させるように、輸送器５またはその輸送輪１４を作動または操作することが好ましい。
【００３８】
開口移動の第１段階で、例えば約１０°、２０°、または３０°の第１の角度まで、図２に示される完全に閉じた位置から始まって口金蓋１５が開かれる場合、ブリスターストリップ２は、口金蓋１５と輸送輪１４との間にあるそれぞれの自由回転装置（図示せず）が原因で移動されない。
【００３９】
最初に、以前に穿孔しかつ通常／既に空になったブリスターポケット３から穿孔部材７を引き抜くために、作動器１２を移動または開口する必要がある。当該作動器のこの開口移動を手動で行うことができる。しかしながら、作動器１２は口金蓋１５を開く際に自動的に開口する。具体的には、第１の角度まで口金蓋１５を開くことができる。口金蓋１５がこの角度（例えば、約２０°）に到達する場合、作動器１２は図２に示される開いた位置へ、特に付勢手段またはバネ手段（図示せず）または同様のものによって自動的に開く。しかしながら、作動器１２がその開いた位置または第１の角度に到達するまで、作動器１２は開口移動の第１段階で口金蓋１５と連帯して（例えば、歯止め機構、バネ、または同様のものによって）移動するということも可能である。
【００４０】
作動器１２の開いた位置は、穿孔部材７が外部に曝されないか、および／または、任意の潜在的な外部影響を回避または少なくとも最小化するために、吸入器が完全に開口されないように設定されることが好ましい。
【００４１】
作動器１２の開いた位置を制限するために、作動器１２の開口部または旋回軸の範囲は、口金蓋１５の１つより小さいか、および／または、好ましくは多くて２０°に、特に約１０°以下に限定される。
【００４２】
しかしながら、作動器１２はその開口位置内に限定されないが、口金蓋１５の範囲までは、特に口金蓋１５と連帯して開口または旋回することができるという可能性もある。
【００４３】
口金蓋１５のさらなる開口（第２段階）の最中に、輸送器５またはその輸送輪１４は、空にされることになる次のブリスターポケット３に向かっている１つのブリスターポケット３によって、ブリスターストリップ２を移動または指標付けするように作動される。このブリスター移動は、口金蓋１５の完全な開口まで起こることが好ましい。
【００４４】
口金蓋１５が完全に開けられる、すなわち、その末端位置に到達する時のみ、ブリスターストリップ２の移動は、それぞれの機構（図示せず）によって設定または固定されるか、および／または、当該口金蓋の移動から分離され、次のブリスターポケット３を穿刺のために位置６内に保持する。しかしながら、口金蓋１５が二度と完全に開閉されない場合、その後、ブリスターストリップ２は後方へ移動される。このことは、吸入器１の操作を容易にし、特に、口金蓋１５の不完全または意図されたものでない操作がブリスターストリップ２の所望でない移動をもたらし、最終的に次のブリスターポケット３の所望でない開口をもたらすことを予防する。
【００４５】
口金蓋１５が完全に開けられているか、または第１の角度に戻って旋回されているか、あるいは、最後に穿孔されたブリスターポケット３が位置６に戻されている場合のみ、開いた作動器１２を再び閉じることができるように錠（図示せず）が設けられることが好ましい。それ故、ブリスターポケット３の有無にかかわらず、ブリスターストリップ２の領域に対して穿孔部材７を押すことができない。
【００４６】
口金蓋１５が完全に開けられており、次のブリスターポケット３が位置６内で移動されている場合、既に整列し、依然として閉じたブリスターポケット３を穿孔するために、作動器１２を旋回して戻す、すなわち閉じることができる。その後、吸入器１は吸入の準備ができている、すなわち、既に記載したように作動される。
【００４７】
吸入後、口金蓋１５をその閉じた位置へ旋回して戻すことによって、吸入器１を閉じることができる。
【００４８】
上記のような、または任意の他の適切な様式で口金蓋１５の移動によって輸送器５またはその輸送輪１４を操作するために、既に述べた自由回転装置と適切な伝達、滑りクラッチ、もしくは任意の他の適切な連結または同様のものを通じて、口金１５は輸送器５と、具体的には輸送輪１４と連結される。
【００４９】
好ましくは、当該自由回転装置、伝達、連結または同様のものは、輸送輪１４またはそれぞれの心棒へ統合されるか、それに隣接して配置される。
【００５０】
好ましくは、口金蓋１５は、当該作動器および／または輸送輪１４の心棒または軸を軸方向に保護する。
【００５１】
図３は、拡大断面図において、当該口金および開いたブリスターポケット３を除去位置６内に有する穿孔部材７を示す。穿孔部材７は、口金８に接続される挿入部１７を備え、具体的には、口金８の出口空間または管１８の中へ延在することが好ましいということが分かる。
【００５２】
吸入器１または口金８は、それを通じて外気の気流９が流れ込むことができる、少なくとも１つの、ここでは多数の空気用開口部１９を備えることが好ましい。
【００５３】
穿孔部材７と口金８、および／または挿入部１７は、開いたブリスターポケット３を通じて流されている空気用の供給経路２０と、加えて、ブリスターポケット３を迂回する空気用の迂回経路２１とを形成する。経路２０および２１は両方、口金８またはその出口管１８の内部で、および／または、それぞれの流れが経路２０および２１を通じて混ざる混合領域にて終わることが好ましい。
【００５４】
特に、空気用開口部１９を通じて進入する気流９は、開いたブリスターポケット３を通じて流れる供給気流２３内に分断され、その後供給経路２０を通じて、迂回経路２１を通じて流れる迂回気流２４に分断される。
【００５５】
図３は、空気が流れる際のエアロゾル発生を概略的に示す。開いたブリスターポケットを通じて流れる供給気流２３は、当該吸入調合物（粉末１０）を輸送し、口金８またはその出口管１８の中に、具体的には当該調合物が迂回気流２４と混合する混合領域２２へ流れ込む。従って、エアロゾル雲１９は、図３で概略的に示されているように発生される。
【００５６】
本実施形態では、穿孔部材７は、図３に、および、図４による穿孔部材７の斜視図に示されているような、２つの穿孔要素２５および２６を備えることが好ましい。
【００５７】
第１の穿孔要素２５は、図３に示されているように、第１のブリスター用開口部（入口開口部）をブリスターポケット３の蓋２７内に形成する役割を果たす。第２の穿孔要素２６は、図３に概略的に示されているように、別個の第２のブリスター用開口部（出口開口部）を蓋２７内に形成する。従って、供給気流２３は、第１の開口部を通じて流れ込み、第２の開口部を通じて流れ出すことができる。当該第２の開口部は、穿孔部材７および／または挿入部１７の内部に流路２８によってここで形成されることが望ましい供給経路２０に流体的に接続される。この流路２８は、本実施形態では混合領域２２に対して開いている。
【００５８】
本実施形態では、迂回経路２１は１つの、好ましくは多数の流路または溝２９を通じるか、または、当該流路または溝によって形成され、好ましくは挿入部１７によって形成され、混合領域２２に通じる。具体的には、溝２９は口金８の出口管１８によって徹底的に保護される。しかしながら、他の構造上の解決法が可能である。
【００５９】
挿入部１７は穿孔部材７に隣接して配置される。具体的には、穿孔部材７は挿入部１７を形成または保持するか、あるいは逆もまた然りである。
【００６０】
好ましくは、挿入部１７は、口金８またはその出口管１８の内部で形態固定して保持される。しかしながら、他の構造上の解決法も可能である。
【００６１】
穿孔部材７は、図３に示されているように、作動器１２および／または口金８と接続される。具体的には、穿孔部材７は、開かれるブリスターポケット３に向かって突出および延在している穿孔要素２５、２６とともに本質的に板状である。
【００６２】
好ましくは、吸入器１は、少なくとも７５，０００Ｐａ１／２ｓ／ｍ３の流動抵抗、特に少なくとも９０，０００Ｐａ１／２ｓ／ｍ３の流動抵抗、より好ましくは９６，０００Ｐａ１／２ｓ／ｍ３以上の流動抵抗を有する。その流動抵抗は、穿孔部材７および／または挿入部１７によって画定または設定されることが好ましい。
【００６３】
当該流動抵抗は、当該流速で割った圧力降下の平方根の商である。例えば、４，０００Ｐａの圧力降下は３９ｌ／分の流速において、９７３０１Ｐａ１／２ｓ／ｍ３の流動抵抗をもたらす。
【００６４】
従って、比較的遅い吸入を実現することができる。具体的には、たとえ患者または使用者が本能的にのみ息を吸う場合であっても、その吸入の持続時間を延長することができるか、および／または、口金８またはその出口管１８を通じた比較的低い流速または流率を達成することができる。
【００６５】
好ましくは、供給経路２０の（ここでは流路２８の）最小の断面積は供給気流２３を制限するか、および／または、当該ブリスター用開口部より小さい（ここでは、当該第１または第２のブリスター用開口部のうちより小さいものより小さい）。このことは、十分に画定した流動抵抗および流動特性の画定または供給を可能にする。具体的には、当該流動特性は、１つのブリスターポケット３から次のものまで変化し得る、１つまたは複数の開口部の実際の大きさに依存しない。
【００６６】
好ましくは、迂回経路２１の（ここでは、溝２９の断面積によって形成されている）最小の断面積は、供給経路２０の最小の断面積より小さい。従って、（全体の）気流９の大部分は供給経路２０を通じて導かれる。言い換えると、供給気流２３は、迂回気流２４より大きい流速を有することが好ましい。
【００６７】
具体的には、迂回経路２１の最小の断面積は、供給経路２０の最小の断面積の多くて８０％、好ましくは７０％である。従って、迂回気流２４の流速は、供給気流２３の流速より著しく低い。このことは、好ましくは高い流動抵抗と結果として生じるより低い平均流速を考慮して、合計の流速が比較的低い点で特に重要である。
【００６８】
別の態様によると、当該平均速度は、３９ｌ／分以下という比較的低い合計の流速でさえ、少なくとも５０ｍ／ｓであることが好ましい。この平均流速は、具体的には少なくとも５５ｍ／ｓ、好ましくは約６０ｍ／ｓ以上である。この「平均流速」は、混合領域２２内、または供給経路２１の末端（ここでは、流路２８の出口）での流速を意味する。
【００６９】
当該好適な高い平均流速は、粉末１０（吸入調合物）の改善した脱塊をもたらす。具体的には、当該平均流速は以前の構造内より著しく高い。
【００７０】
図３は、非常に概略的にのみ、具体的には原寸通りでなく、可能性のある構造を示すということに留意する必要がある。他の構造上の解決法は壁として可能である。
【００７１】
流路２８は、図３に示されているように、その出口端に向かって先細になり得る。しかしながら、流路２８は、本質的に一定の内径または断面積または漸減もその反対方向に有し得る。
【００７２】
流路２８は、断面が円筒形または円形であることが好ましい。しかしながら、流路２８は楕円形でもあり得る。同じことが出口管１８および／または口金８に要求される。
【００７３】
好ましくは、供給経路２０（流路２８）の出口、および迂回経路２１（溝２９）の出口は、可能な限り近くに配置される。具体的には、中間壁または環状壁３０は、供給経路２０および／または迂回経路２１の出口に続く混合領域２２に向かって、可能な限り薄く形成される。
【００７４】
本実施形態では、迂回経路２１は、その１つまたは複数の出口とともに、その好ましくは中心に配列した供給経路２０／流路２８を半径方向に包囲する。しかしながら、外部の構造上の解決法が可能である。
【００７５】
本実施形態では、多数（例えば、４つまたは６つ）の流路または溝２９が迂回経路２１を形成する。しかしながら、他の構造上の解決法が可能である。例えば、断面内またはその出口端にて本質的に環状または楕円状であるか、または２つの半環出口または同様のものを形成する流路によって、迂回経路２１を形成することができるだろう。
【００７６】
さらに、他の穿孔要素２５、２６、および／または、穿孔要素２５、２６の配列を用いることができるということに留意する必要がある。
【００７７】
好ましくは、吸入器１は携帯型であり、機械的にのみ動作し、および／または手持ち型である。
【００７８】
好ましくは、用語「ブリスターストリップ」および「ブリスターポケット」は、当該調合物のための容器または大量貯蔵さえ伴う他の種類の保存手段も含めるように、非常に広い意味で理解されたい。
【符号の説明】
【００７９】
１      吸入器
２      ブリスターストリップ
３      ブリスターポケット
４      貯蔵器
５      輸送器
５ａ    前方移動
６      開口位置および／または除去位置
７      穿孔部材
８      口金
９      気流
１０    粉末
１１    エアロゾル雲
１２    作動器
１２ａ  外被
１３    受容装置
１４    輸送輪
１５    口金蓋
１６    蓋軸
１７    挿入部
１８    出口管
１９    空気用開口部
２０    供給経路
２１    迂回経路
２２    混合領域
２３    供給気流
２４    迂回気流
２５    第１の穿孔要素
２６    第２の穿孔要素
２７    蓋
２８    流路
２９    溝
３０    壁
【図１】
0005591121.tif 000002
【図２】
0005591121.tif 000003
【図３】
0005591121.tif 000004
【図４】
0005591121.tif 000005